(57)【要約】【課題】  逆回転後における樹脂圧のバラツキ、更には計量した樹脂量のショット毎の変動を大幅に低減して高い計量精度を確保する。【解決手段】  先端部に逆流防止バルブ２を設けたスクリュ３を正回転させて計量を行う計量主処理工程Ｓａと、この計量主処理工程Ｓａの終了後、スクリュ３を逆回転させて計量後処理を行う計量後処理工程Ｓｂとを含む計量工程における計量方法であって、計量主処理工程Ｓａの終了後、スクリュ３を回転自由状態にして前進移動させるとともに、この前進移動時におけるスクリュ３の回転状態を監視し、スクリュ３の回転が停止状態になったならスクリュ３を所定の回転量だけ逆回転させる計量後処理工程Ｓｂを行う。【選択図】  図１
2006327127.tif 000002
【特許請求の範囲】
【請求項１】
先端部に逆流防止バルブを設けたスクリュを正回転させて計量を行う計量主処理工程と、この計量主処理工程の終了後、前記スクリュを逆回転させて計量後処理を行う計量後処理工程とを含む計量工程における射出成形機の計量方法において、前記計量主処理工程の終了後、前記スクリュを回転自由状態にして前進移動させるとともに、この前進移動時における前記スクリュの回転状態を監視し、前記スクリュの回転が停止状態になったなら前記スクリュを所定の回転量だけ逆回転させる計量後処理工程を行うことを特徴とする射出成形機の計量方法。
【請求項２】
前記計量後処理工程には、前記スクリュを逆回転させた後、前記スクリュを所定ストロークだけ後退移動させるサックバック処理を含むことを特徴とする請求項１記載の射出成形機の計量方法。
【請求項３】
前記計量主処理工程が終了した後のスクリュ位置（計量終了位置）及び前記スクリュを逆回転させた後のスクリュ位置（逆回転終了位置）をそれぞれ検出し、前記計量終了位置と前記逆回転終了位置の偏差から補正量を求めるとともに、この補正量により、少なくとも射出工程における位置設定値を補正することを特徴とする請求項１記載の射出成形機の計量方法。
【請求項４】
前記停止状態は、前記スクリュを回転させるスクリュ回転用サーボモータに付設したロータリエンコーダから得るエンコーダパルスにより検出することを特徴とする請求項１記載の射出成形機の計量方法。
【請求項５】
前記スクリュの回転状態の監視時に、予め設定した、時間，回転数又は樹脂圧に達しても前記停止状態を検出しないときは、所定のエラー処理を行うことを特徴とする請求項１又は４記載の射出成形機の計量方法。
【請求項６】
前記スクリュを逆回転させる際は、前記スクリュの前後方向位置又は圧力を固定する制御を行うことを特徴とする請求項１記載の射出成形機の計量方法。
【請求項７】
前記スクリュを逆回転させる回転量は、前記スクリュの回転数又は時間により予め設定することを特徴とする請求項１又は６記載の射出成形機の計量方法。
【請求項８】
前記スクリュを逆回転させる際の回転数及び／又は回転速度は、ディスプレイに表示することを特徴とする請求項１，６又は７記載の射出成形機の計量方法。
【発明の詳細な説明】
【技術分野】
【０００１】
本発明は、逆流防止バルブを設けたスクリュを回転させて計量を行った後、逆流防止バルブを強制的に閉鎖する処理を行う射出成形機の計量方法に関する。
【背景技術】
【０００２】
一般に、インラインスクリュ式射出成形機では、スクリュの先端部に逆流防止バルブ（リングバルブ）を設けることにより、射出時における溶融樹脂の逆流防止を図っている。また、この種の射出成形機では、より確実な逆流防止を実現することを目的として、スクリュを回転（正回転）させて計量を行った後、スクリュを僅かな回転数（回転角）だけ逆回転させることにより、強制的に逆流防止バルブを閉鎖するようにした計量方法も従来より行われている。
【０００３】
例えば、特開平１１−２４００５２号公報には、サックバック時や射出時に計量済みの射出すべき溶融混練樹脂の量が変動することを防止し、充填量のバラツキを小さくするようにしたインライン式の射出成形機の運転方法（計量方法）が開示されている。この運転方法は、加熱筒の先端部に貯溜する溶融混練樹脂の計量終了後、スクリュを逆回転させ、チェックリングをチェックシートに当接するまで移動させることによりチェックリングとチェックシートとの間に形成される樹脂通路を閉鎖し、その後、サックバック処理を行うようにしたものである。
【特許文献１】特開平１１−２４００５２号
【発明の開示】
【発明が解決しようとする課題】
【０００４】
しかし、上述した従来における射出成形機の運転方法（計量方法）は、次のような問題点があった。
【０００５】
第一に、スクリュを逆回転させるに際して、設定した時間又はスクリュの回転量により制御するため、逆回転後における逆流防止バルブ（チェックリング）の位置或いは樹脂圧にバラツキを生じやすい。結局、計量した樹脂量のショット毎の変動を防止するには不十分となり、高い計量精度を確保することができない。
【０００６】
第二に、逆流防止バルブの前方の樹脂圧よりも後方の樹脂圧が高い状態となる計量終了後にスクリュを逆回転させるため、逆流防止バルブが後方（閉鎖方向）へ移動しにくく、逆流防止バルブを十分な状態で閉鎖できない。結局、この後にスクリュを後退させるサックバック処理を行っても、閉じた逆流防止バルブが再度開いてしまう虞れもあり、射出開始前に逆流防止バルブを確実かつ安定に閉鎖することができない。
【０００７】
本発明は、このような背景技術に存在する課題を解決した射出成形機の計量方法の提供を目的とするものである。
【課題を解決するための手段】
【０００８】
本発明に係る射出成形機Ｍの計量方法は、上述した課題を解決するため、先端部に逆流防止バルブ２を設けたスクリュ３を正回転させて計量を行う計量主処理工程Ｓａと、この計量主処理工程Ｓａの終了後、スクリュ３を逆回転させて計量後処理を行う計量後処理工程Ｓｂとを含む計量工程における計量方法であって、計量主処理工程Ｓａの終了後、スクリュ３を回転自由状態にして前進移動させるとともに、この前進移動時におけるスクリュ３の回転状態を監視し、スクリュ３の回転が停止状態になったならスクリュ３を所定の回転量だけ逆回転させる計量後処理工程Ｓｂを行うことを特徴とする。
【０００９】
この場合、発明の好適な態様により、計量後処理工程Ｓｂには、スクリュ３を逆回転させた後、スクリュ３を所定ストロークだけ後退移動させるサックバック処理を含ませることができる。一方、計量主処理工程Ｓａが終了した後のスクリュ位置（計量終了位置Ｘｍ）及びスクリュ３を逆回転させた後のスクリュ位置（逆回転終了位置Ｘｄ）をそれぞれ検出し、計量終了位置Ｘｍと逆回転終了位置Ｘｄの偏差から補正量Ｈを求めるとともに、この補正量Ｈにより、少なくとも射出工程における位置設定値Ｘ１，Ｘ２…を補正することができる。また、停止状態は、スクリュ３を回転させるスクリュ回転用サーボモータ５に付設したロータリエンコーダ６から得るエンコーダパルスＤｐにより検出することができる。他方、スクリュ３の回転状態の監視時に、予め設定した、時間Ｔｓ，回転数又は樹脂圧に達しても停止状態を検出しないときは、所定のエラー処理を行うことができる。さらに、スクリュ３を逆回転させる際は、スクリュ３の前後方向位置又は圧力を固定する制御を行うことができる。なお、スクリュ３を逆回転させる回転量は、スクリュ３の回転数又は時間により予め設定することができるとともに、スクリュ３を逆回転させる際の回転数及び／又は回転速度は、ディスプレイ７に表示することができる。
【発明の効果】
【００１０】
このような手法による本発明に係る射出成形機Ｍの計量方法によれば、次のような顕著な効果を奏する。
【００１１】
（１）  計量後処理工程Ｓｂにおけるスクリュ３の逆回転処理は、スクリュ３を回転自由状態にして前進移動させるとともに、この前進移動時におけるスクリュ３の回転が停止状態、即ち、逆流防止バルブ２が閉鎖してから開始させるため、逆回転後における樹脂圧のバラツキ、更には計量した樹脂量のショット毎の変動を大幅に低減でき、高い計量精度を確保できる。
【００１２】
（２）  好適な態様により、計量後処理工程Ｓｂに、スクリュ３を逆回転させた後におけるサックバック処理を含ませれば、サックバック処理の前に、逆流防止バルブ２に対して前方の樹脂圧を後方の樹脂圧よりも高くした状態で逆流防止バルブ２を閉鎖することができるため、この後のサックバック処理により逆流防止バルブが再度開いてしまう弊害を排除できる。したがって、射出開始の前に逆流防止バルブ２を確実かつ安定に閉鎖することができる。
【００１３】
（３）  好適な態様により、計量終了位置Ｘｍ及び逆回転終了位置Ｘｄを検出し、計量終了位置Ｘｍと逆回転終了位置Ｘｄの偏差から補正量Ｈを求めるとともに、この補正量Ｈにより、少なくとも射出工程における位置設定値Ｘ１，Ｘ２…を補正するようにすれば、計量後処理工程Ｓｂにおいて発生するスクリュ位置の誤差分を排除することができ、計量した樹脂量の更なる変動防止を図れるとともに、より高い計量精度を確保できる。
【００１４】
（４）  好適な態様により、スクリュ３の停止状態を検出するに際し、スクリュ３を回転させるスクリュ回転用サーボモータ５に付設したロータリエンコーダ６から得るエンコーダパルスＤｐにより検出すれば、別途の検出器等は不要となり、既設の装備を利用して容易かつ低コストに実施できる。
【００１５】
（５）  好適な態様により、スクリュ３の停止状態を検出しない場合に所定のエラー処理を行うようにすれば、逆流防止バルブ２の動作異常を速やかに検知し、かつ動作異常に対する対策を迅速に講じることができる。
【００１６】
（６）  好適な態様により、スクリュ３を逆回転させる際に、スクリュ３の前後方向位置又は圧力を固定する制御を行えば、計量した樹脂量の更なる変動防止及び計量精度の向上に寄与できる。
【００１７】
（７）  好適な態様により、スクリュ３を逆回転させる際の回転数及び／又は回転速度をディスプレイ７に表示するようにすれば、オペレータは逆流防止バルブ２の動作状態を視覚的にも容易に把握できる。
【発明を実施するための最良の形態】
【００１８】
次に、本発明に係る最良の実施形態を挙げ、図面に基づき詳細に説明する。
【００１９】
まず、本実施形態に係る計量方法を実施できる射出成形機Ｍの構成について、図３及び図４（ａ）を参照して説明する。
【００２０】
図３に示す射出成形機Ｍは、型締装置を除いた射出装置Ｍｉのみを示す。射出装置Ｍｉは、離間した射出台１１と駆動台１２を備え、この射出台１１の前面により加熱筒１３の後端が支持される。加熱筒１３は、前端に射出ノズル１４を、また、後部に当該加熱筒１３の内部に成形材料を供給するホッパ１５をそれぞれ備えるとともに、加熱筒１３の内部にはスクリュ３を挿通させる。
【００２１】
このスクリュ３は、先端部にリングバルブ（逆流防止バルブ）２を備える。スクリュ３は、図４（ａ）に拡大して示すように、最先端部に、先端が尖形となる円錐状のスクリュヘッド３ｈを有するとともに、このスクリュヘッド３ｈからフライト３ｆ側間に、比較的小径のバルブ装填軸部３ｓを有し、このバルブ装填軸部３ｓに円筒形のリングバルブ２を変位自在に装填する。これにより、リングバルブ２は、バルブ装填軸部３ｓの軸方向（前後方向）に所定ストロークにわたってスライド自在となり、リングバルブ２が後退し、フライト３ｆ側に形成したバルブシート３ｒに当接すれば、フライト３ｆ側からスクリュヘッド３ｈ側に至る樹脂通路が遮断されるとともに、リングバルブ２が前進し、バルブシート３ｒから離間すれば、当該樹脂通路が開放される。この場合、樹脂通路が遮断されるとは、リングバルブ２が閉鎖することと同意である。
【００２２】
一方、射出台１１と駆動台１２間には四本のタイバー１６…を架設し、このタイバー１６…に、スライドブロック１７をスライド自在に装填する。スライドブロック１７の前端には、被動輪１８を一体に有するロータリブロック１９を回動自在に支持し、このロータリブロック１９の中央にスクリュ３の後端を結合する。また、スライドブロック１７の側面には、スクリュ回転用サーボモータ（電動モータ）５を取付け、このサーボモータ５の回転シャフトに固定した駆動輪２１は、回転伝達機構２２を介して被動輪１８に接続する。この回転伝達機構２２は、伝達ギアを用いたギア式伝達機構であってもよいし、タイミングベルトを用いたベルト式伝達機構であってもよい。さらに、サーボモータ５には、このサーボモータ５の回転速度（回転数）を検出するロータリエンコーダ６を付設する。
【００２３】
他方、スライドブロック１７の後部には、ナット部２５を同軸上一体に設けるとともに、駆動台１２に回動自在に支持されたボールねじ部２６の前側をナット部２５に螺合させることにより、ボールねじ機構２４を構成する。また、駆動台１２から後方に突出したボールねじ部２６の後端には、被動輪２７を取付けるとともに、駆動台１２に取付けた支持盤１２ｓには、スクリュ進退用のサーボモータ（電動モータ）２８を取付け、このサーボモータ２８の回転シャフトに固定した駆動輪２９は、回転伝達機構３０を介して被動輪２７に接続する。この回転伝達機構３０は、伝達ギアを用いたギア式伝達機構であってもよいし、タイミングベルトを利用したベルト式伝達機構であってもよい。さらに、サーボモータ２８には、このサーボモータ２８の回転速度（回転数）を検出するロータリエンコーダ３１を付設する。
【００２４】
また、図３において、３２は射出成形機Ｍに備えるコントローラであり、格納した制御プログラム３２ｐにより本実施形態に係る計量方法における一連の制御（シーケンス制御）を実行することができる。一方、コントローラ３２には、上述したサーボモータ５，２８及びロータリエンコーダ６，３１をそれぞれ接続するとともに、ロータリブロック１９とスライドブロック１７間に介在させたロードセル（圧力検出器）３３を接続する。このロードセル３３によりスクリュ３が受ける圧力（樹脂圧）を検出することができる。さらに、コントローラ３２には、液晶表示器等を用いたディスプレイ７を接続する。
【００２５】
次に、このような射出成形機Ｍを用いた本実施形態に係る計量方法について、図３〜図８を参照しつつ図１に示すフローチャートに従って説明する。
【００２６】
本実施形態に係る計量方法では、計量主処理工程Ｓａと計量後処理工程Ｓｂに従って計量が行われ、この計量主処理工程Ｓａ及び計量後処理工程Ｓｂが計量工程となる。
【００２７】
計量主処理工程Ｓａでは、まず、コントローラ３２によりスクリュ回転用サーボモータ５が駆動制御（速度制御）される。これにより、サーボモータ５の回転は回転伝達機構２２を介してスクリュ３に伝達され、スクリュ３が正回転することにより、可塑化された溶融樹脂が加熱筒１３の内部におけるスクリュ３の前方に計量蓄積されるとともに、これに対応してスクリュ３が後退する（ステップＳ１）。また、計量主処理工程Ｓａでは、スクリュ進退用サーボモータ２８が通電制御されることにより、スクリュ３に対する背圧制御が行われる（ステップＳ１）。図５（ａ），（ｂ）には、スクリュ回転用サーボモータ５及びスクリュ進退用サーボモータ２８の動作状態をタイミングチャートで示す。図５において、Ｘｏは計量開始位置，Ｖｍは計量主処理工程Ｓａにおけるスクリュ回転用サーボモータ５の回転速度をそれぞれ示す。一方、図４（ａ）は、計量主処理工程Ｓａにおけるスクリュ３の状態を示し、矢印Ｒｐはスクリュ３の回転方向（正回転方向）を示すとともに、矢印Ｆｆは溶融樹脂の相対移動方向を示す。
【００２８】
そして、スクリュ３が予め設定した計量終了位置Ｘｍまで後退することにより計量主処理工程Ｓａが終了する（ステップＳ２）。図４（ｂ）は計量終了位置Ｘｍにおけるスクリュ３の状態を示している。この状態では、リングバルブ２に対してフライト３ｆ側の樹脂圧Ｐｆがノズルヘッド３ｈ側の樹脂圧Ｐｈよりも相対的に高い状態、即ち、Ｐｈ＜Ｐｆの状態にある。
【００２９】
次いで、計量後処理工程Ｓｂに移行する。計量後処理工程Ｓｂでは、最初に、リングバルブ２がバルブシート３ｒに当接する位置（タッチ位置）までスクリュ３を前進移動させる処理を行う（ステップＳ３〜Ｓ９）。この場合、スクリュ３は回転自由状態、即ち、外力により受動回転可能となるように切換えられるとともに、コントローラ３２によりスクリュ進退用サーボモータ２８が駆動制御される。この際の駆動制御は、圧力リミッタの付加された速度制御となり、サーボモータ２８の回転は、回転伝達機構３０及びボールねじ機構２４を介して運動変換され、スクリュ３を前進移動させる（ステップＳ３，Ｓ４）。図５（ｂ）において、Ｖｆはスクリュ３の前進移動時におけるスクリュ進退用サーボモータ２８の回転速度を示す。
【００３０】
また、コントローラ３２は、スクリュ３の前進移動の開始と同時に計時を開始するとともに、スクリュ３の受動回転による回転状態の監視（回転検出）を開始する（ステップＳ３）。この場合、図４（ｃ）に示すように、スクリュ３の前進移動により、スクリュヘッド３ｈ側の溶融樹脂がフライト３ｆ側（矢印Ｆｒ方向）に逆流するとともに、この逆流によりスクリュ３は正回転に対して逆方向（矢印Ｒｒｓ方向）に受動回転する。したがって、この状態では、リングバルブ２に対してノズルヘッド３ｈ側の樹脂圧Ｐｈがフライト３ｆ側の樹脂圧Ｐｆよりも相対的に高くなり、Ｐｆ＜Ｐｈの関係になる。
【００３１】
そして、リングバルブ２は、逆流する溶融樹脂により後方に押されて後退変位するとともに、バルブシート３ｒに当接した位置（タッチ位置）で停止する。したがって、リングバルブ２は、事実上、このタッチ位置で閉鎖した状態となる（図４（ｄ）の位置参照）。この時点では、同時に溶融樹脂の逆流が止まるとともに、スクリュ３の受動回転も停止する。スクリュ３はこのような挙動を伴うため、コントローラ３２はスクリュ３の回転状態を監視し、スクリュ３の回転が停止状態になったなら、直ちにスクリュ３の前進移動を停止させる制御を行う（ステップＳ５，Ｓ６，Ｓ７）。
【００３２】
この場合、スクリュ３の回転状態及び停止状態は、コントローラ３２により、サーボモータ５に付設したロータリエンコーダ６から得るエンコーダパルスＤｐを監視して行うことができる。具体的には、予め設定した監視時間内のパルス数が所定数になったり或いはパルス出力間隔が所定間隔（時間）になったなら停止状態と判断できる。したがって、停止状態とは完全に停止する場合のみならず所定の速度以下まで低下した状態をも含む概念である。そして、スクリュ３の停止状態を検出したなら、同時に計時をリセットする（ステップＳ８）。
【００３３】
よって、このようなスクリュ前進処理を行うことにより、スクリュ３は、常に、リングバルブ２がバルブシート３ｒに当接するタッチ位置で正確に停止させることができる。また、このようなタッチ位置（停止状態）を、ロータリエンコーダ６から得るエンコーダパルスＤｐにより検出することにより、別途の検出器等は不要となり、既設の装備を利用して容易かつ低コストに実施できる利点がある。
【００３４】
ところで、スクリュ３の前進移動中に、リングバルブ２の一部が欠けたりリングバルブ２に異物が挟まるなどによる異常が発生することも考えられる。このような異常が発生した場合、スクリュ３の回転が正常に停止することなく無用に回転が継続する。そこで、本実施形態では、スクリュ３の前進移動の開始と同時に計時を開始し、予め設定した時間（判定時間）Ｔｓに達してもスクリュ３の停止状態を検出できないときは、所定のエラー処理を行う（ステップＳ５，Ｓ９）。エラー処理としては、運転（動作）の停止処理やアラーム報知処理等を行うことができる。これにより、リングバルブ２の動作異常を速やかに検知し、かつ動作異常に対する対策を迅速に講じることができる。
【００３５】
次いで、スクリュ３を逆回転させる処理を行う。なお、スクリュ３の逆回転は上述したスクリュ３の停止状態の検出から直ちに行ってもよいし、所定の設定時間を経てから行ってもよい。この場合、コントローラ３２によりスクリュ回転用サーボモータ５が駆動制御（速度制御）される。これにより、スクリュ３は図４（ｄ）に示すように、矢印Ｒｒ方向へ能動的に逆回転する（ステップＳ１０）。図５（ａ）において、Ｖｒはスクリュ３の逆回転時におけるサーボモータ５の回転速度を示すとともに、θｓ，θｅはスクリュ３の角度を示している。逆回転させるスクリュ３の回転量は、成形機毎に任意に設定できるが、概ね１／４回転前後に設定できる。したがって、この場合には、図５（ａ）における（θｅ−θｓ）を概ね９０〔°〕前後に設定できる。また、スクリュ３の逆回転時には、コントローラ３２によりスクリュ進退用サーボモータ２８が駆動制御され、スクリュ３の前後方向位置が固定される位置制御が行われる。これにより、スクリュ３が逆回転してもスクリュ３の前後方向位置が固定されるため、計量した樹脂量の更なる変動防止及び計量精度の向上に寄与できる。図５（ａ）において、Ｘｄはスクリュ３を逆回転させた後のスクリュ位置（逆回転終了位置）を示している。
【００３６】
なお、スクリュ３を逆回転させる際における回転数（回転角）又は回転速度は、コントローラ３２に接続したディスプレイ７に表示することができる。このような表示を行うことにより、オペレータはリングバルブ２の動作状態を視覚的にも容易に把握することができる。そして、スクリュ３の逆回転が、設定した回転量（回転角）に達したならスクリュ３の回転を停止させる制御を行う（ステップＳ１１，Ｓ１２）。
【００３７】
ところで、スクリュ３の逆回転時には、スクリュ３の前後方向位置が固定されることから、図４（ｄ）に示すように、溶融樹脂に対して後方（矢印Ｆｉ方向）への圧力が付与される。この場合、スクリュ３を逆回転させる直前では、リングバルブ２に対してノズルヘッド３ｈ側の樹脂圧Ｐｈがフライト３ｆ側の樹脂圧Ｐｆよりも相対的に高い状態、即ち、Ｐｆ＜Ｐｈの状態にあるため、スクリュ３を逆回転させた後は、リングバルブ２に対してノズルヘッド３ｈ側の樹脂圧Ｐｈがフライト３ｆ側の樹脂圧Ｐｆよりも更に高い状態、即ち、Ｐｆ≪Ｐｈの状態になる。
【００３８】
一方、スクリュ３を逆回転させる処理が終了したなら、スクリュ３を予め設定したストローク（例えば、１〜２〔ｍｍ〕前後）だけ後退移動させて圧抜きを行うサックバック処理を行う（ステップＳ１３）。サックバック処理では、コントローラ３２によりサーボモータ２８が駆動制御（速度制御）され、スクリュ３が後退移動する。この場合、スクリュ３の後退ストロークは、圧抜きが完了する位置を考慮し、当該後退ストロークの終端をサックバック終了位置Ｘｓとして予め設定する。これにより、スクリュ３がサックバック終了位置Ｘｓに達すれば、スクリュ３の後退移動を停止し、サックバック処理を終了させるとともに、次の工程である射出工程に移行させる。図５において、Ｖｓはサックバック処理時におけるスクリュ進退用サーボモータ２８の回転速度、Ｘｓはサックバック終了位置をそれぞれ示し、このサックバック終了位置Ｘｓは射出開始位置となる。なお、サックバック処理は、計量終了後、スクリュ３を予め設定した僅かなストロークだけ後退させて圧抜きを行い、型開き時の樹脂圧による弊害、即ち、低粘度樹脂による所謂鼻ダレ現象や高粘度樹脂による成形スプルからの所謂糸引き現象等の発生を防止する処理である。
【００３９】
図４（ｅ）は、このようなサックバック処理を行った後におけるスクリュ３の状態を示し、リングバルブ２に対してノズルヘッド３ｈ側の樹脂圧Ｐｈがフライト３ｆ側の樹脂圧Ｐｆよりも相対的にやや高い状態かほぼ同じ状態、即ち、Ｐｆ＜Ｐｈの状態かＰｆ≒Ｐｈの状態にある。したがって、サックバック処理を行っても、サックバック処理の前に、リングバルブ２に対して前方（スクリュヘッド３ｈ側）の樹脂圧Ｐｈを後方（フライト３ｆ側）の樹脂圧Ｐｆよりも常に高くした状態でリングバルブ２を閉鎖できるため、この後のサックバック処理によりリングバルブ２が再度開いてしまう弊害を排除できる。これにより、射出開始の前に逆流防止バルブ２を確実かつ安定に閉鎖することができる。
【００４０】
他方、コントローラ３２では、さらに計量後処理工程Ｓｂで発生するスクリュ位置のバラツキを補正する処理を行う。以下、この補正の処理方法について、図２に示すフローチャートに従って説明する。
【００４１】
まず、前述した計量主処理工程Ｓａが終了したなら、終了後のスクリュ位置である計量終了位置Ｘｍを検出して取込む（ステップＳ２１，Ｓ２２，Ｓ２３）。なお、この場合、計量終了位置Ｘｍは予め設定されているため、設定された計量終了位置Ｘｍ（設定値）を用いてもよい。また、スクリュ３を逆回転させたなら、逆回転後のスクリュ位置である逆回転終了位置Ｘｄを検出して取込む（ステップＳ２４，Ｓ２５，Ｓ２６）。この場合、計量終了位置Ｘｍ及び逆回転終了位置Ｘｄは、サーボモータ２８に付設したロータリエンコーダ３１によりそれぞれ検出できる。そして、計量終了位置Ｘｍと逆回転終了位置Ｘｄが得られたなら、計量終了位置Ｘｍと逆回転終了位置Ｘｄの偏差から補正量Ｈ（＝Ｘｄ−Ｘｍ）を求める（ステップＳ２７）。一方、補正量Ｈを求めたなら、この補正量Ｈにより、少なくとも射出工程における位置設定値Ｘ１，Ｘ２…を補正する（ステップＳ２８）。
【００４２】
図６は、求めた補正量Ｈにより射出工程における位置設定値Ｘ１，Ｘ２…を補正する場合を示している。同図中、Ｖ１，Ｖ２，Ｖ３…は、多段設定した射出速度を示す。同図から明らかなように、スクリュ３のサックバック終了位置（射出開始位置）Ｘｓから射出工程を開始するとともに、射出速度Ｖ１からＶ２に切換える場合、補正前における基準となる設定では、設定位置Ｘ１で切換えを行うが、補正量Ｈが得られ、補正を行った場合には、設定位置（Ｘ１＋Ｈ）で切換えを行う場合を示している。同様に、射出速度Ｖ２からＶ３に切換える場合にも、設定位置（Ｘ２＋Ｈ）で切換えを行う。このような補正を行うことにより、計量後処理工程Ｓｂにおいて発生するスクリュ位置の誤差分を排除することができ、計量した樹脂量の更なる変動防止を図れるとともに、より高い計量精度を確保することができる。
【００４３】
この例では、計量終了位置Ｘｍ，逆回転終了位置Ｘｄ及び補正量Ｈを求めることにより、射出工程における位置設定値Ｘ１，Ｘ２…を補正する場合を示したが、計量終了位置Ｘｍ，逆回転終了位置Ｘｄ及び補正量Ｈ等の検出（演算）データは、記憶することにより他の目的（データ表示や解析等）に利用することもできる。
【００４４】
なお、射出工程では、コントローラ３２によりサーボモータ２８が駆動制御される。これにより、サーボモータ２８の回転は回転伝達機構２９を介してボールねじ部２６に伝達されるため、ボールねじ部２６は正方向に回転してナット部２５が前進移動する。この結果、スクリュ３が前進し、計量された溶融樹脂は金型に射出充填される。そして、射出工程が終了し、次ショット（成形サイクル）が続行する場合には、次ショットの計量工程に移行し、同様の計量工程に係わる処理が行われる。
【００４５】
図７及び図８は、本実施形態に係る計量方法により計量を行った場合の実際の成形品（バーフロー）の質量〔ｇ〕を示している。また、比較のため、本実施形態に係る計量方法を用いない計量、即ち、通常成形において使用する計量方法により計量を行った場合の実際の成形品（バーフロー）の質量〔ｇ〕を併記した。なお、本実施形態に係る計量方法とは、計量主処理工程Ｓａの終了後、スクリュ３を回転自由状態にして前進移動させるとともに、この前進移動時におけるスクリュ３の回転状態を監視し、スクリュ３の回転が停止状態になった後に、スクリュ３を所定量だけ逆回転させる処理を行い、さらにサックバック処理を行った場合であり、通常成形とは、計量主処理工程Ｓａの終了後、直ちにサックバック処理を行った場合である。図７及び図８に示すデータグラフ及びデータ表から明らかなように、本実施形態に係る計量方法によるリングバルブ２の強制閉鎖を行えば、成形品質量のショット毎のバラツキを大幅に低減することができ、変動係数を示す６ＣＶは、概ね１／３に低減できた。
【００４６】
よって、このような本実施形態に係る計量方法によれば、計量後処理工程Ｓｂにおけるスクリュ３の逆回転処理は、スクリュ３を回転自由状態にして前進移動させ、この前進移動時におけるスクリュ３の回転が停止状態、即ち、逆流防止バルブ２が閉鎖してから開始させるため、逆回転後における樹脂圧のバラツキ、更には計量した樹脂量のショット毎の変動を大幅に低減でき、もって、高い計量精度を確保できるとともに、不良率の低減及び生産に要するエネルギ削減にも寄与できる。
【００４７】
以上、最良の実施形態について詳細に説明したが、本発明は、このような実施形態に限定されるものではなく、細部の構成，形状，数量，数値，手法等において、本発明の要旨を逸脱しない範囲で、任意に変更，追加，削除することができる。
【００４８】
例えば、逆流防止バルブ２としてリングバルブを例示したが必ずしもリングバルブに限定されるものではない。また、スクリュ３の回転状態（停止状態）を監視する方法として、ロータリエンコーダ６から得るエンコーダパルスＤｐを利用する方法を例示したが、他の監視方法を排除するものではない。さらに、スクリュ３を逆回転させる回転量としてスクリュ３の回転数（回転角）により設定する場合を示したが、時間により設定する場合を排除するものではない。一方、時間Ｔｓの監視により動作異常を検出する例を挙げたが、その他、スクリュ３の回転数（回転角）又は樹脂圧の監視により検出することも可能である。したがって、この場合、検出されるスクリュ３の回転数又は樹脂圧が、予め設定した回転数又は樹脂圧に達しても停止状態を検出しないときは、所定のエラー処理を行うことができる。また、例示の実施形態では、スクリュ３を逆回転させる際に、スクリュ３の前後方向位置が固定される位置制御を行う場合を示したが、スクリュ３の圧力が固定される圧力制御を行ってもよい。
【図面の簡単な説明】
【００４９】
【図１】本発明の最良の実施形態に係る射出成形機の計量方法の処理手順を示すフローチャート、
【図２】同計量方法における計量後処理工程で発生するスクリュ位置のバラツキを補正する処理手順を示すフローチャート、
【図３】同計量方法を実施できる射出成形機の一部断面平面図、
【図４】同計量方法を実施する際におけるスクリュの状態を示す作用説明図、
【図５】同計量方法を実施する際におけるスクリュ回転用サーボモータ及びスクリュ進退用サーボモータの動作状態を示すタイミングチャート、
【図６】同計量方法における計量後処理工程で発生するスクリュ位置のバラツキを補正する際の説明図、
【図７】同計量方法による効果を説明するためのショット数に対する成形品質量の変動データグラフ、
【図８】同計量方法による効果を説明するためのデータ表、
【符号の説明】
【００５０】
２  逆流防止バルブ
３  スクリュ
５  スクリュ回転用サーボモータ
６  ロータリエンコーダ
７  ディスプレイ
Ｍ  射出成形機
Ｓａ  計量主処理工程
Ｓｂ  計量後処理工程
Ｘｍ  計量終了位置
Ｘｄ  逆回転終了位置
Ｘ１…  位置設定値
Ｈ    補正量
Ｄｐ  エンコーダパルス
【図１】
2006327127.tif 000003
【図２】
2006327127.tif 000004
【図３】
2006327127.tif 000005
【図４】
2006327127.tif 000006
【図５】
2006327127.tif 000007
【図６】
2006327127.tif 000008
【図７】
2006327127.tif 000009
【図８】
2006327127.tif 000010
【手続補正書】
【提出日】平成18年10月20日(2006.10.20)
【手続補正１】
【補正対象書類名】図面
【補正対象項目名】図３
【補正方法】変更
【補正の内容】
【図３】
2006327127.tif 000011